(57)【特許請求の範囲】
【請求項１】
設置面に設置され、表示装置の表示部を支持し、スピーカを備えるスタンドであって、
該スタンドは、一端に前記設置面に設置されるスタンドベースが固定される第１の部分と、
第１の面と前記第１の面に対向する第２の面とを有し、前記第１の面に前記表示部が接続され、前記第２の面に前記第１の部分の他端が角度を変更可能に接続される第２の部分と、を有する支柱を有し、
前記支柱の第１の部分にダイキャストが取り付けられ、該ダイキャストにスピーカが取り付けられ、
前記スピーカは、緩衝材を備えるネジ止め部を介して前記ダイキャストに取り付けられていることを特徴とするスタンド。
【請求項２】
前記ダイキャストは、緩衝材を備えるネジ止め部を介して前記支柱に取り付けられていることを特徴とする請求項１記載のスタンド。
【請求項３】
前記支柱の内部に回転機構を備えることを特徴とする請求項１または２記載のスタンド。
【請求項４】
前記スピーカは、周波数の低い音を出力するウーファーであることを特徴とする請求項１から３のいずれか１項に記載のスタンド。
【請求項５】
請求項１から４のいずれか１項に記載のスタンドを備えることを特徴とする表示装置。
【発明の詳細な説明】
【技術分野】
【０００１】
本発明は、スピーカが設けられたスタンドおよびそのスタンドを備えた表示装置に関する。
【背景技術】
【０００２】
液晶テレビ、パーソナル・コンピュータ等の薄型表示装置において、スピーカは一般に、表示パネル等の表示部の筐体内部に固定したり、表示部の筐体の後部中央部分に設けられる。
【０００３】
しかし、取付スペースや取付位置の制約等から、スピーカで発生した振動を表示部の筐体に伝達させるのを完全に防止するのは困難である。このため、スピーカで発生した振動をコントロールすることが必要となる。
なぜならスピーカの振動が表示部の筐体に伝達されると、筐体の構成部材が振動してしまうおそれがあるからである。
【０００４】
ここで、関連技術として表示パネル等の表示部の筐体内部ではなく、表示装置のスタンドの支柱の内部にスピーカを設けることで、表示装置に備わるスピーカの振動により表示部が振動してしまうことを防止する技術がある（例えば、特許文献１参照）。
【先行技術文献】
【特許文献】
【０００５】
【特許文献１】特開２００８−１５４０８４号公報
【発明の概要】
【発明が解決しようとする課題】
【０００６】
しかしながら、上記の関連技術では、スタンドの支柱の内部は中空となり強度が保てないという問題点がある。また、スタンドの構造が複雑となり製造工数やコストが増大するという問題がある。さらに、表示部の筐体の後部中央部分に設けられる一般的な構成の場合、振動は筐体全体で吸収されて目立たなくなる。一方、スタンドの支柱部分は通常、強固な補正をされていない。そのため支柱部分で振動が発生した場合、振動は吸収されずに筐体へ伝達され、筐体が大きく振動するという問題がある。
【０００７】
本発明の目的は、スピーカが設けられたスタンドの強度を維持しつつスピーカの振動により表示部が振動することを回避するスタンドおよび表示装置を提供することを目的とする。
【課題を解決するための手段】
【０００８】
本発明のスタンドは、設置面に設置され、表示装置の表示部を支持し、スピーカを備えるスタンドであって、
該スタンドは、一端に前記設置面に設置されるスタンドベースが固定される第１の部分と、
第１の面と前記第１の面に対向する第２の面とを有し、前記第１の面に前記表示部が接続され、前記第２の面に前記第１の部分の他端が角度を変更可能に接続される第２の部分と、を有する支柱を有し、
前記支柱の第１の部分にダイキャストが取り付けられ、該ダイキャストにスピーカが取り付けられ、
前記スピーカは、緩衝材を備えるネジ止め部を介して前記ダイキャストに取り付けられていることを特徴とする。
【０００９】
また、本発明の表示装置は、上記のスタンドを備えることを特徴とする。
【発明の効果】
【００１０】
本発明によれば、スピーカが設けられたスタンドの強度を維持しつつスピーカの振動により表示部が振動することを回避することができる。
【図面の簡単な説明】
【００１１】
【図１】本発明の実施の形態に係る表示装置の斜視図である。
【図２】本発明の実施の形態に係る表示装置の正面図である。
【図３】本発明の実施の形態に係る表示装置の側面図である。
【図４】本発明の実施の形態に係る表示装置の通常状態の背面図である。
【図５】本発明の実施の形態に係るスタンドリアカバーを取り外した状態の側面図である。
【図６】本発明の実施の形態に係るスタンドリアカバーを取り外した状態の背面図である。
【図７】本発明の実施の形態に係るダンパーゴム部分に着目した拡大斜視図である。
【図８】本発明の実施の形態に係るウーファーユニットを取り外した状態の側面図である。
【図９】本発明の実施の形態に係るウーファーユニットを取り外した状態の背面図である。
【発明を実施するための形態】
【００１２】
以下、本発明の実施の形態について図面を参照して詳細に説明する。図１に示す本実施の形態における表示装置１０は、表示部２０と、スタンド３０とから構成されている。表示装置１０は、パーソナル・コンピュータ、液晶テレビ、ＰＤＰ（Plasma Display Panel）テレビ等であってよい。また、表示部２０は、液晶パネルやＰＤＰ等の薄型表示パネルを備え、筐体により囲われていてよく、表示装置１０がパーソナル・コンピュータの場合はここに本体が格納される。なお、表示部２０とスタンド３０とは、ネジ等により接合され、スタンド３０により表示部２０が支持されている。
【００１３】
また、図２に示すように、表示装置１０は、低周波数の音域を出力する低音用のスピーカ（以下、「ウーファーユニット」という）４０をスタンド３０に設け、中高周波数の音域を出力する中高音用のスピーカ４１、４２を表示部２０の左右に内蔵して構成している。また、表示装置１０は、音声出力回路（図示せず）を有し、音声出力回路は、例えば、中高音用のスピーカ４１、４２に、２００Ｈｚ以上の周波数の音声信号を出力し、ウーファーユニット４０に、２００Ｈｚ未満の周波数の音声信号を出力する。ここでは、ウーファーユニット４０は６ワットであり、中高音用のスピーカ４１、４２はそれぞれ３ワットであり合計１２ワットの電力に対する振動に対応する必要がある。
本実施の形態のように、ウーファーユニット４０の出力を中高音用のスピーカ４１、４２よりも大きくした場合、ウーファーユニット４０の音が、表示部２０の振動の主な原因となるので、中高音用のスピーカ４１、４２よりも強固な振動対策が必要となる。このようにウーファーユニット４０をスタンド３０に設けたのは、低周波数の音域は比較的指向性が低いため、取り付け位置をさほど問題としないからである。一方、中高周波数の音域の音を出力する中高音用のスピーカ４１、４２を表示部２０の筐体内部に設けることで、ステレオ音声出力が可能となり、またステレオ感の調整が容易となる。
【００１４】
つづいて、図３から図９を用いて、スタンド３０について詳しく説明する。
図３は表示装置１０の側面図である。破線で表した部分が表示部２０で実線部分がスタンド３０である。スタンド３０はスタンドリアカバー３１と、スタンドフロントカバーを兼ねる支柱３２と、接合部３３と、台座であるスタンドベース３４とを備えている。なお、表示部２０とスタンド３０とは、接合部３３を用いてネジ等により接合されている。支柱３２の内部に設けられた回転機構によりスタンド３０を固定したまま表示部２０の角度を変えるためのチルト・スイベル動作が可能となる。支柱３２は、接合部３３とスタンドベース３４との間の部分であり図中ではその一部分はスタンドフロントカバーとなっている。
【００１５】
図４は、図３に示した状態における表示装置１０の特にスタンド３０部分のみの背面図である。スタンドリアカバー３１は、ネジ等により支柱３２にネジ止めされている。なお、ネジ等の数は限定されず、スタンドリアカバー３１が支柱３２に固定されればどのような固着形態であってもよい。
【００１６】
図５は、図３に示した状態における表示装置１０のスタンドリアカバー３１を取り外した状態の表示装置１０の側面図である。スタンド３０はさらにウーファーユニット４０と、ダイキャスト３６とを備えている。なお、ウーファーユニット４０とダイキャスト３６とは、ネジ等により接合されているがウーファーユニット４０に突設されたネジ止め部３８にダンパーゴム３７がかまされている。ダンパーゴム３７については後述する。
【００１７】
図６は、図５に示した状態における表示装置１０の特にスタンド３０部分のみの背面図である。ウーファーユニット４０は、ネジ止め部３８に対する４箇所のネジによりダイキャスト３６にネジ止めされている。ここで４箇所としたのはウーファーユニット４０のパワーを考慮して、強度・バランスに優れているからである。４箇所に限定されず、任意の数箇所であってよく、また、穴でなく棒状等であってもよい。また、本実施形態では、ウーファーユニット４０の上下に２つのネジ止め部３８を各々設け、計４つのネジ止め部３８に対する４箇所のネジにより、ウーファーユニット４０がダイキャスト３６にネジ止めされる構成にした。しかし、上下に各々設けた２つのネジ止め部３８を連結した棒状のネジ止め部３８をウーファーユニット４０の上下に各々設け、計２つのネジ止め部３８に対する４箇所のネジにより、ウーファーユニット４０がダイキャスト３６にネジ止めされる構成にすることも可能である。
【００１８】
ダイキャスト３６は、アルミ・鉄などの板金である。
ウーファーユニット４０は、ダイキャスト３６がなくても支柱３２に取り付けることができるが、ウーファーユニット４０は重量があるため支柱３２に強度が必要となる。強度がなければウーファーユニット４０に基づく振動により表示装置１０全体が振動してしまうこととなる。そこで、ダイキャスト３６により支柱３２に強度を生み出し、ウーファーユニット４０に基づく振動の表示部２０への伝達を低減している。なお、ダイキャスト３６がプラスチック等の材質であると、支柱３２に必要な強度が足りなく、ダイキャスト３６と支柱３２とが一緒に振動し、振動がさらに増幅してしまうので不適切なことが多い。
【００１９】
図７（ａ）は、図５に示した状態における表示装置１０の特にダンパーゴム３７部分に着目した拡大斜視図である。ウーファーユニット４０とダイキャスト３６とは、ネジ等により接合されているがウーファーユニット４０に突設されたネジ止め部３８とネジとの間にダンパーゴム３７がかまされている。ここでは、ネジ止め部３８の前後にそれぞれゴムが設けられる構成（ゴム自体は前後で一体である）としているが、前後いずれか一方であってもよい。なお、ゴム以外の素材であってもよく、例えばシリコンまたはばねなどの弾性体等が考えられる。このような防振または吸振機能を有する緩衝材により、スタンド３０と表示部２０との間の振動伝達が防止される。
【００２０】
図７（ａ）では、ネジ止め部３８の前後にそれぞれダンパーゴム３７が設けられる構成（但し、ダンパーゴム３７自体は図７（ｂ）に示すように前後で一体型になっている）にした。しかし、ネジ止め部３８の前後の何れか一方にダンパーゴム３７が設けられる構成にすることも可能である。
【００２１】
また、図７（ａ）では、ダンパーゴム３７を設け、スタンド３０と表示部２０との間の振動伝達を防止することにした。しかし、ダンパーゴム３７以外の素材や構成であっても良く、例えば、シリコン、ばねなどの防振または吸振機能を有する緩衝部材を設け、スタンド３０と表示部２０との間の振動伝達を防止するように構築することも可能である。
【００２２】
ウーファーユニット４０は、ダンパーゴム３７がなくてもネジ止め部３８によりダイキャスト３６に直接取り付けることができるが、それでは、ウーファーユニット４０の振動が直接ダイキャスト３６に伝わることとなる。そこで、ダンパーゴム３７によりウーファーユニット４０から発生する振動を減衰した上でダイキャスト３６に伝達し、振動の総量も低減している。また、図７（ｂ）に示すように、一体型になった構造のダンパーゴム３７を用いることで、ネジ止め部３８とネジとが直接接触する部分を無くし、ウーファーユニット４０に基づく振動をダイキャスト３６へ適切に伝達し易くすることにしている。
【００２３】
図８は、図５に示した状態における表示装置１０のウーファーユニット４０を取り外した状態の表示装置１０の側面図である。ダイキャスト３６には、ウーファーユニット４０を接合するためのネジ等の受け部分が突設されている。
【００２４】
図９は、図８に示した状態における表示装置１０の特にスタンド３０部分のみの背面図である。ダイキャスト３６は、ネジ等により支柱３２にネジ止めされている。なお、ここでもネジ止め部分にダンパーゴム等の緩衝材がかまされていてもよい。これによりさらに振動伝達を低減する効果を奏する。
【００２５】
上記の実施の形態におけるスタンドリアカバー３１および支柱３２のスタンドフロントカバー部分は、カバー内部の構造の保護等を目的として設けられるものであり、これらのカバーが設けられない構成である表示装置１０も考えられる。
【００２６】
なお、上記の実施の形態における表示装置１０は、スタンドリアカバー３１を設ける構成にした。しかし、スタンドリアカバー３１は、カバー内部の構造（ダイキャスト３６や、ウーファーユニット４０）の保護等を目的として設けられるものであるため、スタンドリアカバー３１を設けない構成にすることも可能である。
【００２７】
また、上記の実施の形態における支柱３２は、スタンドフロントカバーを兼ねる構成にしたが、支柱３２に対し、フロントカバーとなる部材を別途設ける構成にすることも可能である。
【００２８】
なお、上述する実施の形態は、本発明の好適な実施の形態であり、本発明の要旨を逸脱しない範囲内において種々変更実施が可能である。
【符号の説明】
【００２９】
１０    表示装置
２０    表示部
３０    スタンド
３１    スタンドリアカバー
３２    支柱
３３    接合部
３４    スタンドベース
３６    ダイキャスト
３７    ダンパーゴム
３８    ネジ止め部
４０    ウーファーユニット
４１、４２    スピーカ
【図１】
0005552285.tif 000002
【図２】
0005552285.tif 000003
【図３】
0005552285.tif 000004
【図４】
0005552285.tif 000005
【図５】
0005552285.tif 000006
【図６】
0005552285.tif 000007
【図７】
0005552285.tif 000008
【図８】
0005552285.tif 000009
【図９】
0005552285.tif 000010